(57)【要約】  各々が少なくとも１つの付与された色を含む、複数個の要素を提供する工程であって、その際付与された色が着色技術により提供された工程、及び異なる着色技術を受けた少なくとも２つの要素を接合して使い捨て吸収性物品を生成する工程を含む、使い捨て吸収性物品を着色するための方法であって、その際異なる着色技術を受けた要素の付与された色は、約１９０未満のＣＩＥＬａｂ色空間の体積内に収容される方法。異なる着色技術を受けた要素の付与された色はまた、約４未満のＣＩＥＬａｂ色空間の色相差内に収容されてもよい。異なる着色技術を受けた要素の付与された色はまた、約１０未満のＣＩＥＬａｂ色空間の全色差内に収容されてもよい。【特許請求の範囲】
【請求項１】
調和したカラースキームを示す吸収性物品を作り出すための方法であって、前記方法が、
ａ．各々が少なくとも１つの付与された色を含む、少なくとも２つの要素を提供する工程であって、前記付与された色が異なる着色技術により提供される工程、及び
ｂ．前記少なくとも２つの要素を前記吸収性物品上に配置する工程を含み、
前記異なる着色技術により提供される前記付与された色が、約１９０未満のＣＩＥＬａｂ色空間の体積、約４未満のＣＩＥＬａｂ色空間の色相差、及び／又は約１０未満のＣＩＥＬａｂ色空間の全色差内にあることを特徴とする方法。
【請求項２】
前記着色技術が、印刷、含浸、コーティング、及びこれらの組み合わせから成る群から選択される、請求項１に記載の方法。
【請求項３】
前記印刷の着色技術が、凸版印刷、フレキソ印刷、グラビア印刷、オフセット印刷、スクリーン印刷、インクジェット印刷、及びこれらの組み合わせから成る群から選択される、請求項１または２に記載の方法。
【請求項４】
前記要素が、バックシート、トップシート、コア、レッグカフ、ウエスト機構、ファスニングシステム、ランディングゾーン、サイドパネル、取っ手、ファスニングタブ、ポケット、スペーサー、又はこれらの組み合わせから成る群から選択される、請求項１〜３のいずれか１項に記載の方法。
【請求項５】
請求項１〜４のいずれか１項に記載の方法にしたがって製造される吸収性物品。
【発明の詳細な説明】
【技術分野】
【０００１】
本発明は、調和したカラースキームを示す吸収性物品を作り出すための方法を対象とする。吸収性物品には、おむつ、トレーニングパンツ、成人失禁用物品、生理用品（feminine protection articles）などの品目が挙げられる。
【背景技術】
【０００２】
使い捨ておむつ、プルオンおむつ、トレーニングパンツ、生理用ナプキン、パンティライナー、失禁用ブリーフなどの吸収性物品は、当該技術分野において周知であり、並びに尿及び他の身体の滲出物を吸収及び収容するために極めて有効である。市場へのそれらの導入から、吸収性物品は、適合及び機能性に関して改善を続けてきた。例えば、吸収性物品は、着用者のウエスト及び脚の周囲にぴったり合う及び快適な適合を提供するように作成される。おむつは、漏れ又は着用者の皮膚への悪影響なしに、大量の滲出物を収容することができる。
【０００３】
しかしながら、おむつは、審美的デザインに関しては、著しくというほどには進歩してこなかった。市販の使い捨ておむつの始まりから、おむつの支配的な色は、作成用に選択される材料の生来のものである。即ち、材料は一般には白色であり、二酸化チタンのような顔料の使用により多くの場合実現される。ほとんどのおむつでは今や、限定的図形は普通のことである。これらの図形は、独特の模様及び白色ではない色を包含する。ごく最近になって、製造業者はおむつのますますより大きな表面上に、及びおむつの実質的に異なる構成要素上に色を染み込ませようとしている。吸収性物品の色の含有量を増加することは、物品が、伝統的な子供の布の下着のように、より見えるようになるという点において望ましい。おむつは、より下着のように見えるようになり、及びおむつとして、より識別しにくくなる。おむつの実質的に異なる構成要素の上に色を付与する初めの試みの結果として生じる１つの問題は、色の不適合である。
【０００４】
おむつ内の色の適合を確実にすることは重要であるが、実現することは困難である。適合する色を有するおむつは、消費者にその製品が高品質であることを伝達し、及び質の劣った競争相手に対して製品を差別化する。適合する色を有するおむつは、全体的に魅力的で、及び消費者に好まれると考えられている。しかしながら、吸収性物品は色を適合させるのが困難な製品である。おむつは、多様な材料から構成されている。印刷、コーティング、又は含浸は、色を付与するために周知の方法であるが、おむつの構造に用いられるすべての材料がこれらの方法の各々を従順に受けやすいというわけではない。結果として、１つの材料は印刷又はコーティングによってのみ着色される場合があるが、一方、第１のものに隣接する異なる材料は、色の含浸のみを受け入れるという場合もある。たとえ２つの異なる材料が色を付与するために単一の方法を従順に受けたとしても、付与された色が、最終製品において２つの材料の間で適合しないように見える場合もある。おむつの多くの表面は積層体であり、そのため色を有する層は第２の層によって被覆される。結果として生じる積層体は、色を有する層の色と比べて、押さえた色を示す。その上、材料の質感もまた付与された色に悪影響を与える場合がある。
【発明の開示】
【発明が解決しようとする課題】
【０００５】
色の適合についての更なる問題は、どの時点で２つの表面が適合する色を有していると決定するかである。色の鑑別は、極めて変わりやすい個人的な特性であるため、色差又は適合について、ヒトの識別に頼ることは当てにならない。結果として、一人の観察者にとって色が適合しているように見えることが、別の人にとっては区別できるものである場合もある。その上、２つ以上の表面間の色差又は適合についてのヒトの識別という極めて定性的な概念を定量化することは、非常に困難である。
【課題を解決するための手段】
【０００６】
以上に記載された困難及び問題に応えて、調和したカラースキームを示す吸収性物品を結果として生じる方法が開示される。具体的には、調和したカラースキームを示す吸収性物品を作り出すための方法が開示され、前記方法は、各々が少なくとも１つの付与された色を含む、少なくとも２つの要素を提供する工程であって、その際付与された色が異なる着色技術により提供される工程、及び少なくとも２つの要素を吸収性物品上に配置する工程を含み、その際異なる着色技術により提供される付与された色は、約１９０未満のＣＩＥＬａｂ色空間の体積内に収容される。
【０００７】
その上、異なる着色技術を受けた要素の付与された色は、約４未満のＣＩＥＬａｂ色空間の色相差を有してもよい。異なる着色技術を受けた要素の付与された色は、約１０未満のＣＩＥＬａｂ色空間の全色差を有してもよい。
【０００８】
前述の方法から結果として生じる吸収性物品もまた開示される。
【発明を実施するための最良の形態】
【０００９】
本明細書で使用するとき、用語「吸収性物品」とは、身体の滲出物を吸収し及び収容する装置を指し、並びにより具体的には、着用者の身体に接触して又は近接して配置され、身体から排泄された様々な滲出物を吸収し及び収容する装置を指す。
【００１０】
本明細書で使用するとき、用語「使い捨て」とは、洗濯するか、又はそうでなければ吸収性物品として修復若しくは再使用することを一般に意図しない（即ち、その物品を、１回の使用後に廃棄するか、好ましくは、リサイクルするか、堆肥化するか、又はそうでなければ環境に適応した手段で廃棄することを意図する）吸収性物品を指す。
【００１１】
本明細書で使用するとき、用語「要素」とは、吸収性物品を形成するために共に合体しなければならない別個の及び不連続な部品を指す。各要素は１つ以上の薄層を含んでもよい。その上、要素は、付与された色を生み出す着色技術を受けていない、共通の連続した薄層を共有してもよい。しかしながら、要素は、付与された色を生み出す着色技術を受けた、共通の連続した薄層を共有してはならない。
【００１２】
本明細書で使用するとき、用語「配置された」とは、おむつの要素（類）が、おむつの他の要素と共に一体型構造体として、又はおむつの別の要素に接合された別個の要素として、特定の場所又は位置に形成される（接合され及び位置付けられる）ことを意味するのに用いられる。
【００１３】
本明細書で使用するとき、用語「着用者に面する表面」とは、着用者に装着されるとき、身体の方に向いた表面を指す。
【００１４】
本明細書で使用するとき、用語「衣類に面する表面」とは、着用者に装着されるとき、着用者に面する表面と反対の方に向いた表面を指す。
【００１５】
本明細書で使用するとき、用語「接合される」とは、ある要素を他の要素に直接取り付けることにより別の要素に直接固定される構成と、ある要素を中間部材（類）に取り付け、次にその中間部材が他の要素に取り付けられることにより別の要素に間接的に固定される構成とを包含する。
【００１６】
本明細書で使用するとき、用語「一体型」吸収性物品とは、共に合体された別個の要素で形成され、調和した統一体を形成し、その結果、別個のホルダー及びライナーのような別の操作部品を必要としない吸収性物品を指す。
【００１７】
本明細書で使用するとき、用語「外部に見える表面」とは、ヒトの観察者が、適切な適用直後に物品の衣類に面する表面を見るという評価基準において、標準の照明条件で肉眼で（近視、遠視、又は乱視を補正するために適合される標準的な矯正レンズを例外とする）視覚的にはっきりと識別する場合がある目に見える表面を指す。好ましくは、要素の外部に見える表面は、本発明にしたがって色が適合していてもよい。
【００１８】
本明細書で使用するとき、用語「内部に見える表面」とは、ヒトの観察者が、物品の身体に面する表面を平面図において（即ち、物品は着用者に面する表面が実質的に平面であるように引き伸ばされる）見るという評価基準において、標準の照明条件で肉眼（近視、遠視、又は乱視を補正するために適合される標準的な矯正レンズを例外とする）で視覚的にはっきりと識別する場合がある目に見える表面を指す。
【００１９】
本明細書で使用するとき、「標準の照明条件」とは、人の視力が効果的に機能する（例えば、人の眼が、複雑な模様、陰影、及び色を識別することができる）照明条件を指す。具体的には、本発明を説明するために、標準の照明条件は、次のうちの少なくとも１つである。
ａ）日中、屋外で体験するような自然照明、
ｂ）２メートルの距離での標準的な１００ワットの白熱電球の照明、又は
ｃ）１９６４ＣＩＥ標準観測者に対して８００ルクスで照明するＣＩＥ  Ｄ６５標準光源によって定義されるようなもの。
【００２０】
本明細書で使用するとき、用語「おむつ」とは、一般に幼児及び失禁者により胴体下部の周囲で着用される吸収性物品を指す。本発明はまた、失禁用パンツ、失禁用下着、吸収性挿入物品、おむつホルダー及びライナー、女性用衛生衣類などその他の吸収性物品にも適用可能である。
【００２１】
本明細書で使用するとき、用語「色の適合」とは、（ｉ）定められた色空間の体積内に入る、（ｉｉ）定められた色空間の色相差を有する、及び／又は（ｉｉｉ）定められた全色差を有する色（即ち、付与された色）を一般に指す。定められた体積、色相差、及び全色差は本明細書に記載される。
【００２２】
本明細書で使用するとき、用語「調和したカラースキーム」とは、一般に、色が適合した要素を有する吸収性物品の定性的な外観を指す。
【００２３】
おむつの構造の様々な要素は一般に、少なくとも１つの目に見える表面を有する。各要素が少なくとも１つの目に見える表面を有する場合がある、トップシート、バックシート、及び少なくとも１つの追加の構成要素をおむつが含むことは望ましい。本明細書で使用するとき、「目に見える表面」とは、（ｉ）物品を引き裂く、破る、穴をあける、ないしは別の方法で切断することをせずに視覚的に識別できる、及び（ｉｉ）付与された色を結果として生じる着色技術を受けた表面を示唆する。初めは目に見える表面ではなかった表面が、貯蔵、適用、着用、又は廃棄の間に後で目に見えるようになる場合がある。例えば、保護カバーは、ファスニングシステム内の接着剤のタブから取り外されてもよい。保護カバーの取り外しは、接着剤タブ上の目に見える表面を暴露する場合がある。一般に、おむつの要素は、典型的には内部に見える表面である、着用者に面する表面、及び典型的には外部に見える表面である、衣類に面する表面とに典型的に方向付けられる２つの表面を含有する。色の適合は、内部に見える表面の間、外部に見える表面の間、又は両方の間に生じてもよい。１つの実施形態では、色の適合は、バックシート、レッグカフ、ウエスト機構、ファスニングシステム、ランディングゾーン、サイドパネル、取っ手、ファスニングタブ、及びこれらの組み合わせが挙げられる要素の外部に見える表面の間に生じる。
【００２４】
おむつにより示される様々な色は一般に２つの種類に分類されてもよい。生来の色は、典型的には、彩度が皆無かそれに近い色である。定性的には、生来の色は、おむつに伝統的に関連のある白色からオフホワイトの色を表す。生来の色は、通常は、目に見える表面を構成する原材料の色である。材料の白さは、二酸化チタン顔料で基材を印刷、コーティング、又は含浸することなどにより操作される場合がある。より具体的に及び定量的には、生来の色は、約６未満のＣＩＥＬａｂ彩度の値、Ｃ＊を有する色である（式は以下に提供される）。付与された色は、おむつの目に見える表面の上に又は中に、印刷、コーティング、又は含浸された色である。付与された色は、約６を超えるＣＩＥＬａｂ  Ｃ＊を有する色である。目に見える表面は一般に生来の色を含有し、及び１つ以上の付与された色を含有してもよい。
【００２５】
付与された色を有する目に見える表面は、単一層を含んでもよいか、又は１を超える薄層を含む積層体であってもよいことが更に認識される。単一層に関して、付与された色はその層の上に又は中に付与される。積層体に関して、色は１つ以上の薄層の上に又は中に付与されてもよい。例えば、積層体は一般に外側の薄層（即ち、観察者の視野方向内に近接する最も近い層、例えば衣類に面する表面）、及び少なくとも１つの内側の薄層を含んでもよい。薄層の１つ以上は、付与された色を有してもよい。例えば、積層体は、付与された色を持たない外側の薄層、及び付与された色を有する少なくとも１つの内側の薄層を含んでもよい。おむつが見られるとき、内側の薄層の付与された色は積層体に全体としての着色を提供する。したがって、全体としての積層体の知覚できる色は、外側の薄層と、内側の薄層の付与された色を拡散及び移動する場合がある他の任意の内側の薄層との結果である。結果として、全体としての積層体の付与された色は、分離して見た場合の個々の薄層の付与された色と比べると異なる（即ち、色が適合していない）場合がある。更に、外側の薄層及び１つ以上の内側の薄層が付与された色を示す場合に、分離して見たときの個々の薄層の付与された色と、全体としての積層体の付与された色が適合しないような付与された色を示す場合がある。
【００２６】
目に見える表面上の付与された色は、当該技術分野において周知の多様な着色技術にしたがって提供されてもよい。色は、目に見える表面に、印刷、コーティング、及び含浸が挙げられるが、これらに限定されない着色技術によって提供されてもよい。凸版印刷、フレキソ印刷、グラビア印刷、オフセット印刷、スクリーン及びインクジェットが挙げられるが、これらに限定されない様々な印刷方法が、色を付与するために用いられてもよい。すべての方法は、当該技術分野において周知である。
【００２７】
凸版印刷は、印刷の最も古い方法であるが、高くなっている表面の最上部に適用されるインク又は他の同等の材料を伴う。この表面は基材に対して押し付けられ、その結果インクを基材に移動させる。フレキソ印刷は、ゴム、プラスチック、又は他の可撓性材料から製造された、多くの場合円筒形の印刷版を用いる。インクは版上の高くなっている画像に適用される。版は次に基材に接触して設置され、インクは基材に移動される。フレキソ印刷では、水系及び溶媒系のインクが用いられる。用いられるほとんどのインクは速乾性であり、これはフレキソ印刷を、プラスチック、ホイル、圧縮性表面、及びその他の非吸収性基材上への印刷に、特に適するようにする。
【００２８】
グラビア印刷は、シリンダー中にエッチングされた異なる深さの凹部を有する印刷シリンダーを用いる。印刷のこの方法は、エッチングされたシリンダーを、インクの入った注入管又は容器の中に、部分的に（一般に、シリンダーの直径の約４分の１）浸漬することにより実行される。画像を生み出すエッチングされたセルはインクで満たされ、及びシリンダーの表面もまたインクでコーティングされる。シリンダーの表面は、画像を生み出さないため、インクはシリンダーの表面には望ましくない。この望ましくないインクは、シリンダーから表面のインクのすべてを拭うドクターブレード又はナイフによって取り除かれる。印刷シリンダーが基材と接触するとき、セル内に収容されたインクは基材に移される。グラビア印刷は、連続印刷操作及び長時間運転の印刷に理想的である。一般に、溶媒系インクがグラビア印刷に用いられる。
【００２９】
リソグラフ印刷、又はオフセット印刷は、画像を有するオフセット版上の表面特性を使用する印刷方法である。オフセット版は、典型的には、いったん感光及び加工された薄い紙、プラスチック、又は金属シートから典型的には製造され、印刷用の印刷機のシリンダーの周囲に巻き付けることができる。一般に、インクは疎水性の画像区域に付着し、一方親水性の非画像区域からは忌避される。インク及び水をかけられたオフセット版は、通常はゴムでコーティングされた第２のシリンダーの上に印刷されてもよい。第２のシリンダーは、次にこのインク及び水の痕跡を基材上にオフセットする。
【００３０】
スクリーン印刷は、絹又は他のポリマー材料から製造された多孔質のスクリーンを使用する。スクリーンは、フレームに取り付けられる。ステンシルが写真製版法又は手動のいずれかによりスクリーン上に生成される。非印刷区域はステンシルによって保護される。印刷は、粘稠なインクをスクリーンに適用することにより、スクリーンの下の基材上に行われる。インクは、ゴム製スキージー又はローラーを用いて、スクリーンの微細な開口部を押し通される。
【００３１】
インクジェット印刷は、インクの液滴が小さい孔から媒体上の指定された位置に直接噴射されて画像を作り出すノンインパクトのドット−マトリクス技術である。インクジェット印刷は、連続方法又はドロップ・オン・デマンド方法において行われてもよい。連続インクジェット印刷は、インク液滴の連続的な流れを伴う。一般に、インク液滴は帯電電極により帯電されてもよい。液滴が帯電されない場合、液滴は基材まで直接移動し、電圧を帯びた版により妨げられない。帯電された液滴は、電圧を帯びた版により偏向される。迂回される場合、液滴は、基材に届く前に捕捉され及び再循環される。別の連続インクジェット方法は、すべての液滴を帯電し、電圧版が、液滴の基材上への設置又は迂回を制御する。ドロップ・オン・デマンドのインクジェット印刷は、名前が示唆するように、インク液滴を必要なときだけ提供する。液滴は多様な方法で形成されるが、熱による及び圧電による液滴形成が最も一般的である。サーマルインクジェット印刷は、小さい加熱器により作り出されるインクの蒸気泡の急速な膨張によってノズルから放出されるインク液滴を伴う。圧電インクジェット印刷は、電圧の印加時に圧電セラミックの膨張から作り出される圧力波によってノズルから放出されるインク液滴を伴う。インクジェット印刷技術は、ヒュー．Ｐ．リー（Hue. P. Le）のインクジェット印刷技術における進歩と動向（Progress and Trends in Ink-Jet Printing Technology）、画像化科学及び技術誌（Journal of Imaging Science and Technology）、４２巻、４９〜６２ページに記載されるように、当該技術分野において周知である。
【００３２】
多様なコーティング技術が目に見える表面上に色を付与するために用いられてもよい。適したコーティング技術は、当該技術分野において周知であり、並びにビーズ化押出機、スロットダイコーター、噴霧ノズル、浸漬タンク、はけ、及びこれらの組み合わせが挙げられるが、これらに限定されない。適したスロットダイコーターには、ジョージア州ドーソンビル（Dawsonville）のノードソン社（Nordson Corp.）から入手可能なＥＰ１１アプリケータ（EP11 Applicator）、又はテネシー州ヘンダーソンビル（Hendersonville）のＩＴＷダイナテク・アメリカズ（ITW Dynatec Americas）から入手可能なＭＲ１３００スロットダイコーター（MR1300 Slot Die Coater）が挙げられる。適したコーティングには、接着剤、ワニス、ラテックス、ローション、ワックス、及びパラフィンが挙げられるが、これらに限定されない。コーティングは一般に、染料、顔料、又は組み合わせを含有する。当該技術分野において既知のその他のコーティング技術には、オフマシンコーティング、エアーナイフコーティング、浸漬コーティング、フォワードロールコーター、リバースロールコーター、及びカーテンコーティングが挙げられる。
【００３３】
印刷、含浸（impregation）、及びコーティングは異なる着色技術であることは、当業者には明らかなはずである。同様に、活版印刷、フレキソ印刷、グラビア印刷、オフセット印刷、スクリーン印刷、及びインクジェット印刷の着色技術は、異なる着色技術である。更に、ビーズ化押出機、スロットダイコーター、噴霧ノズル、はけ、オフマシンコーティング、エアーナイフコーティング、浸漬コーティング、フォワードロールコーター、リバースロールコーター、及びカーテンコーティングのコーティング技術は、異なる着色技術である。
【００３４】
色は、着色剤の基材中への含浸を手段として、目に見える表面に付与されてもよい。染料、顔料、又は組み合わせのような着色剤が、ポリマー、樹脂、又は不織布のような基材の形成中に含浸されてもよい。例えば、着色剤は、フィルム、繊維、又は長繊維の形成中にポリマーの溶融バッチに添加されてもよい。
【００３５】
付与された色は、国際照明委員会（Commission Internationale de l’Eclairage）Ｌ＊ａ＊ｂ＊色空間（以下「ＣＩＥＬａｂ」）にしたがって適合される。ＣＩＥＬａｂは、ＣＩＥ１９７６基準に基づく、数学的な三刺激値カラースケールである。ＣＩＥＬａｂは、色を定量的に及び正確に記載することを可能にする。図２に示されるように、ＣＩＥＬａｂは、色をデカルト座標のｘｙｚ空間に類似した３次元空間にプロットすることを可能にする。ＣＩＥＬａｂは、デカルト座標のｘｙｚ空間において、もともとはｘ軸である上に緑から赤までの色を有する。ＣＩＥＬａｂは、この軸をａ軸と見なす。負のａ＊値は緑を表し、及び正のａ＊値は赤を表す。ＣＩＥＬａｂは、デカルト座標のｘｙｚ空間において、もともとはｙ軸である上に青から黄までの色を有する。ＣＩＥＬａｂは、この軸をｂ軸と見なす。負のｂ＊値は青を表し、及び正のｂ＊値は黄を表す。ＣＩＥＬａｂは、デカルト座標のｘｙｚ空間においてもともとはｚ軸である上に明度を有する。ＣＩＥＬａｂは、この軸をＬ軸と見なす。Ｌ＊軸は１００から０までの値を範囲とし、１００は白であり、０は黒である。５０のＬ＊値は中間の灰色を表す（ただし、ａ＊及びｂ＊が０であるという条件である場合）。３つの値（Ｌ＊、ａ＊、ｂ＊）にしたがって、いずれの色もＣＩＥＬａｂ内にプロットされてもよい。
【００３６】
３次元のＣＩＥＬａｂは、彩度、色相、及び明度の３つの色の構成要素を計算することを可能にする。ａ軸及びｂ軸から形成される２次元の空間において、色相及び彩度の構成要素が決定され得る。彩度は、知覚される色の相対的飽和度であり、及びａ＊ｂ＊平面において測定されるときの原点からの距離により決定される。特定の（ａ＊，ｂ＊）の組についての彩度は、次の式にしたがって計算される。
【数１】
2008507385.tif 000002
【００３７】
例えば、ａ＊ｂ＊値（１０，０）を有する色は、ａ＊ｂ＊値（２０，０）を有する色より低い彩度を示す。後の色は前の色より赤いとして定性的に（qualatively）知覚される。色相は、特定の色の相対的な赤、黄、緑、及び青である。２次元のａ＊ｂ＊空間内で原点からいずれかの色まで半径を作り出すことができる。色相は、０°（正のａ＊軸）から作り出された半径までを測定した角度である。色相は、０°から３６０°までのいずれかの値であることができる。明度はＬ＊の値から決定され、より高い値はより白であり及びより低い値はより黒である。
【００３８】
目に見える表面の各々が付与された色を含む、目に見える表面を含む２つ以上の要素の色の適合は、色空間の体積、全色差、及び色相差によって決定することができる。本発明の１つの実施形態は、付与された色が定義されたＣＩＥＬａｂ色空間の体積を占有するような、異なる要素の２つ以上の目に見える表面の色の適合である。体積がＣＩＥＬａｂ内のすべての３つの次元を計上し及び考慮するように、色の適合を体積において特徴付けることは望ましい。理論に束縛されるものではないが、こうした３次元の測定は、２つの色の差をより完全に特徴付けると考えられている。第１の色（Ｌ＊１、ａ＊１、ｂ＊１）、及び第２の色（Ｌ＊２、ａ＊２、ｂ＊２）についてのＣＩＥＬａｂ色空間の体積（Ｖ）は、次の式にしたがって計算される。
【数２】
2008507385.tif 000003
式中、ΔＬ＊は、２色間のＬ＊値の差であり、ΔＬ＊＝Ｌ＊２−Ｌ＊１によって計算される。Δａ＊は、２色間のａ＊値の差であり、Δａ＊＝ａ＊２−ａ＊１によって計算される。Δｂ＊は、２色間のｂ＊値の差であり、Δｂ＊＝ｂ＊２−ｂ＊１によって計算される。ＣＩＥＬａｂ色空間の体積は、立体の実質的に回転楕円体の形状を結果として生じるが、しかしながらΔＬ＊、Δａ＊、及びΔｂ＊が等しい場合、立体は球形である。本明細書で使用するとき、「立体」とは、長さ、幅、及び高さ（又は深さ）を有する３次元の形状の数学的概念を指す。回転楕円体の体積は、楕円は一般に、その他の立体よりΔＬ＊、Δａ＊、及びΔｂ＊の次元の差が相対的に均一であることを必要とするため、体積を計算するために好ましい。その上、回転楕円体の体積は、他の形状の体積より視覚的に受け入れることができる（即ち、ヒトの知覚にる色の不適合が少なく出る）と考えられている。
【００３９】
理想的には、不連続な要素の少なくとも２つの目に見える表面の付与された色は、約１９０未満のＣＩＥＬａｂ色空間の体積を占有する。目に見える表面は以下に記載される試験方法にしたがって分析される。分析時に、目に見える表面を含む要素の生来の色は、Ｌ＊、ａ＊、及びｂ＊座標を生み出す。ＣＩＥＬａｂ色空間の体積は次に以上に示された式を使用して計算される。結果として得られる体積は、好ましくは約１９０未満である。より好ましくは、結果として得られる体積は、約１５０未満である。更により好ましくは、結果として得られる体積は、約１００未満である。
【００４０】
目に見える表面を有する、２を超える不連続な要素の付与された色は、前述のＣＩＥＬａｂ色空間の体積を占有してもよいことを認識するべきである。２を超える要素について色空間の体積を計算する際に、体積は、要素の組の最大及び最小のＬ＊、ａ＊、及びｂ＊を用いて計算される。要素の所与の組は、Ｌ＊、ａ＊、及びｂ＊の値を生み出す。最大の色値は、Ｌ＊、ａ＊、及びｂ＊値の組から最大のＬ＊、最大のａ＊、及び最大のｂ＊を取ることにより選択される。同様に、最小の色値は、Ｌ＊、ａ＊、及びｂ＊値の組から最小のＬ＊、最小のａ＊、及び最小のｂ＊を取ることにより選択される。最大の色値及び最小の色値は、以上に示された式にしたがってＶを計算するために用いられる。好ましくは、目に見える表面を有する、２を超える不連続な要素の付与された色は、その体積を占有する。より好ましくは、目に見える表面を有する、３を超える不連続な要素の付与された色は、その体積を占有する。
【００４１】
本発明の１つの実施形態は、指定されたＣＩＥＬａｂ色空間の全色差（ΔＥ）を色が有するような、目に見える表面の色の適合である。全色差によって色の適合を特徴付けることは、全色差がＣＩＥＬａｂ内のすべての３つの次元を計上し及び考慮するという点で望ましい。理論に束縛されるものではないが、こうした３次元の測定は、２つの色の差をより完全に特徴付けると考えられている。全色差は、ＣＩＥＬａｂ色空間内の２点間の距離を表す。第１の色（Ｌ＊１、ａ＊１、ｂ＊１）、及び第２の色（Ｌ＊２、ａ＊２、ｂ＊２）についてのＣＩＥＬａｂ色空間の全色差（ΔＥ）は、次の式にしたがって計算される。
【数３】
2008507385.tif 000004
前記式中、ΔＬ＊は、２色間のＬ＊値の差であり、ΔＬ＊＝Ｌ＊２−Ｌ＊１によって計算される。Δａ＊は、２色間のａ＊値の差であり、Δａ＊＝ａ＊２−ａ＊１によって計算される。Δｂ＊は、２色間のｂ＊値の差であり、Δｂ＊＝ｂ＊２−ｂ＊１によって計算される。
【００４２】
理想的には、各々が付与された色を含む、目に見える表面を含む少なくとも２つの要素は約１０未満のＣＩＥＬａｂ色空間の全色差を有する。目に見える表面は、以下に記載される試験方法にしたがって分析される。分析時に、目に見える表面を含む要素の生来の色は、Ｌ＊、ａ＊、及びｂ＊座標を生み出す。ＣＩＥＬａｂ色空間の全色差は次に、以上に示された式を使用して計算される。結果として得られるΔＥは、好ましくは約１０未満である。更により好ましくは、結果として得られるΔＥは、約８未満である。
【００４３】
目に見える表面を有する、２を超える不連続な要素の付与された色は、前述のＣＩＥＬａｂ色空間の全色差を有してもよいことを認識するべきである。好ましくは、目に見える表面を有する、２を超える不連続な要素の付与された色は、前述のΔＥ未満である。より好ましくは、目に見える表面を有する、３を超える不連続な要素の付与された色は、前述のΔＥ未満である。２を超える要素を比較することは、付与された色を含有する、目に見える表面を有するどの２つの要素が比べられても、結果として得られる全色差は前述のΔＥ値未満であることを示唆する。
【００４４】
本発明の１つの実施形態は、指定されたＣＩＥＬａｂ色空間の色相差（ΔＨ）を色が有するような、目に見える表面の色の適合である。色相差によって色の適合を特徴付けることは、色相差がＣＩＥＬａｂ内のすべての３つの次元を計上し及び考慮するという点で望ましい。理論に束縛されるものではないが、こうした３次元の測定は、２つの色の差をより完全に特徴付けると考えられている。色相差は、ＣＩＥＬａｂ色空間内の２点間の距離を表す。第１の色（Ｌ＊１、ａ＊１、ｂ＊１）、及び第２の色（Ｌ＊２、ａ＊２、ｂ＊２）についてのＣＩＥＬａｂ色空間の色相差（ΔＨ）は、次の式にしたがって計算される。
【数４】
2008507385.tif 000005
前記式中で、ΔＥは、２色間のＣＩＥＬａｂ色空間の全色差であり、以上に示されるように計算される。ΔＣは、２色間のＣＩＥＬａｂ色空間の彩度差であり、次により計算される。
【数５】
2008507385.tif 000006
【００４５】
ΔＬ＊は、２色間のＬ＊値の差であり、ΔＬ＊＝Ｌ＊２−Ｌ＊１によって計算される。
【００４６】
理想的には、各々が付与された色を含む、少なくとも２つの目に見える表面は約４未満のＣＩＥＬａｂ色空間の色相差を有する。目に見える表面は、以下に記載される試験方法にしたがって分析される。分析時に、目に見える表面を含む要素の生来の色は、Ｌ＊、ａ＊、及びｂ＊座標を生み出す。２つの要素が選択され、並びに要素のＬ＊、ａ＊、及びｂ＊値が、以上に示された式の中に挿入され、結果として色相差が得られる。結果として得られる色相差は、好ましくは約４未満である。より好ましくは、結果として得られるΔＨは、約３未満である。最も好ましくは、結果として得られるΔＨは、約１未満である。
【００４７】
目に見える表面を有する、２を超える不連続な要素の付与された色は、前述のＣＩＥＬａｂ色空間の色相差を有してもよいことを認識するべきである。好ましくは、目に見える表面を有する、２を超える不連続な要素の付与された色は、前述のΔＨ未満である。より好ましくは、目に見える表面を有する、３を超える不連続な要素の付与された色は、前述のΔＨ未満である。２を超える要素を比較することは、付与された色を含有する、目に見える表面を有するどの２つの要素が比べられても、結果として得られる色相差は前述のΔＨ値未満であることを示唆する。
【００４８】
目に見える表面の試験及び比較は、各々が少なくとも１つの目に見える表面を有する、おむつの構造の不連続な要素間においてなされる。許容される比較は、例えばバックシートの目に見える表面とサイドパネルの目に見える表面との間においてである。比較は、同様な要素の間（例えば、１つの耳ともう１つの耳との間）で行われるべきではないその上、おむつ構造の単一要素上の２つの試料領域の間（例えば、バックシート上の２点間での比較）で行われるべきでない。目に見える表面が、以下に記載されるような標準化した手順を使用して、反射色について試験された。
【００４９】
本発明の吸収性物品の１つの実施形態は、図１に示されるように、一体型使い捨て吸収性物品、おむつ２０である。着用者に面するおむつ２０の部分は、観察者の方に向いている。おむつ２０は、液体透過性トップシート２４、液体不透過性バックシート２６、好ましくは、トップシート２４の少なくとも一部分とバックシート２６との間に位置付けられる吸収性コア２８、サイドパネル３０、伸縮性のあるレッグカフ３２、弾性ウエスト機構３４、及び一般に４０と表記されるファスニングシステムを含んでもよい。おむつ２０は、前部ウエスト領域３６、第１ウエスト領域３６に向かい合う後部ウエスト領域３８、及び前部ウエスト領域と後部ウエスト領域との間に位置する股領域３７を有してもよい。おむつ２０の周辺部は、おむつ２０の外縁によって画定されてもよく、長手方向縁部５０がおむつ２０の長手方向中心線１００にほぼ平行に延びており、末端縁部５２が長手方向縁部５０の間でおむつ２０の横方向中心線１１０にほぼ平行に延びている。
【００５０】
おむつ２０のシャーシ２２は、おむつ２０の本体を含んでもよい。シャーシ２２は、吸収性コア２８の少なくとも一部分、並びに好ましくはトップシート２４及びバックシート２６を含んでもよい。一体型吸収性物品については、シャーシ２２は、おむつの主要構造を、複合体のおむつ構造を形成するために加えられる他の機構と共に含んでもよい。トップシート２４、バックシート２６、及び吸収性コア２８は、多様な周知の構成で組み立てられてもよいが、好ましいおむつの構成は一般に、米国特許第３，８６０，００３号（ケネス  Ｂ．ビューエル（Kenneth B. Buell））、米国特許第５，１５１，０９２号（ビューエル（Buell）に発行）、米国特許第５，２２１，２７４号（ビューエル（Buell）に発行）、米国特許第５，５５４，１４５号（ロー（Roe）らに発行）、米国特許第５，５６９，２３４号（ビューエル（Buell）らに発行）、米国特許第５，５８０，４１１号（ニーズ（Nease）らに発行）、及び米国特許第６，００４，３０６号、名称「多方向に伸張性のサイドパネルを有する吸収性物品（Absorbent Article With Multi-Directional Extensible Side Panels）」（ロブレス（Robles）らに発行）に記載されている。
【００５１】
バックシート２６は、一般に、吸収性コア２８の衣類に面する表面に隣接して位置付けられるおむつ２０の部分であり、その中に吸収し及び収容された滲出物が、おむつ２０と接触する場合があるベッドシーツや下着などの物品を汚すことを防ぐ。ある実施形態では、バックシート２６は、液体（例えば尿）に対して不透過性であってもよく、及び約０．０１２ｍｍ（０．５ミル）〜約０．０５１ｍｍ（２．０ミル）の厚さを有する熱可塑性フィルムのような薄いプラスチックフィルムを含む。適したバックシートフィルムには、インディアナ州テレホート（Terre Haute）のトレデガー・インダストリーズ社（Tredegar Industries Inc.）により製造され、及び商品名Ｘ１５３０６、Ｘ１０９６２、及びＸ１０９６４として販売されるものが挙げられる。その他の適したバックシート材料は、滲出物がバックシート２６を通過するのを防ぎながら蒸気がおむつ２０から逃れることを可能にする通気性材料を包含してもよい。代表的な通気性材料には、織布ウェブ、不織布ウェブ、複合材料、例えばフィルムコーティング不織布ウェブ、及びミクロ孔質フィルム、例えば日本の三井東圧社（Mitsui Toatsu Co.）により製造される表記エスポアールＮＯ（ESPOIR NO）、及びテキサス州ベイシティー（Bay City）のエクソン・ケミカル社（EXXON Chemical Co.）により製造される表記エグザイアー（EXXAIRE）、及びモノシリックフィルム及び複合体、例えばオハイオ州シンシナティ（Cincinnati）のクロペイ社（Clopay Corporation）により製造される名称ハイトレル（HYTREL）ブレンドＰ１８−３０９７などの材料を挙げてもよい。幾つかの通気性複合材料は、ＰＣＴ国際公開特許ＷＯ９５／１６７４６及び米国特許第５，８６５，８２３号に非常に詳細に記載されている。不織布ウェブ及び有孔の成形フィルムを包含するその他の通気性バックシートは、米国特許第５，５７１，０９６号に記載されている。バックシート２６又はそのいずれかの部分は、１つ以上の方向に伸縮自在に伸張性であってもよい。１つの実施形態では、バックシート２６は、米国特許第５，５１８，８０１号に更に詳細に記載されるように、構造上弾性様のフィルム（「ＳＥＬＦ」）のウェブを含んでもよい。別の実施形態では、バックシート２６は、エラストマーフィルム、発泡体、ストランド、又はこれらの若しくはその他の適した材料と不織布若しくは合成フィルムとの組み合わせを含んでもよい。
【００５２】
バックシート２６は、トップシート２４、吸収性コア２８、又はおむつ２０の他のいずれかの要素に、当該技術分野で既知のいずれかの付着手段によって接合されてもよい。例えば、付着手段としては、接着剤の均一な連続層、接着剤の模様付き層、又は接着剤の分離した線、らせん、又は点の配列を挙げてもよい。１つの付着手段は、米国特許第４，５７３，９８６号に開示されるように、接着剤の糸状の開放型模様の網状組織を伴う。その他の適した付着手段には、米国特許第３，９１１，１７３号、第４，７８５，９９６号、及び第４，８４２，６６６号に示される装置及び方法により説明されるような、らせん模様に渦を巻いていく接着剤の糸状の幾つかの線が挙げられる。代表的な接着剤は、ミネソタ州セントポール（St. Paul）のＨ．Ｂ．フラー社（H.B. Fuller Company）により製造され、並びにＨＬ−１６２０及びＨＬ−１３５８−ＸＺＰとして市販されている。あるいは、付着手段は、熱接着、圧力接着、超音波接着、動的機械的接着、又は当該技術分野で既知の他のいずれかの適した付着手段、若しくはこれら付着手段の組み合わせを含んでもよい。
【００５３】
トップシート２４は、吸収性コア２８の身体に面する表面に隣接して位置付けられれもよく、並びに当該技術分野で既知のいずれかの付着手段によって吸収性コア２８に、及び／又はバックシート２６に部分的に又は全体的に接合されてもよい。適した付着手段は、バックシート２６をおむつ２０の他の要素に接合するための手段に関して以上に記載されている。本発明の１つの実施形態では、トップシート２４及びバックシート２６は、幾つかの位置において互いに直接接合されてもよく、及びそれらをおむつ２０の他の要素に直接接合することによりその他の位置において間接に共に接合される。トップシート２４は、１つ以上の孔を、それを通した滲出物、例えば尿及び／又は糞便（固体、半固体、若しくは液体）の浸透を容易にするために含んでもよい。
【００５４】
更に、トップシート２４は、トップシート２４とコア２８との間に空間を提供するように、完全に又は部分的に伸縮性があってもよいか、又は縮小してもよい。伸縮性のある又は縮小するトップシートを包含する代表的な構造体は、米国特許第４，８９２，５３６号、第４，９９０，１４７号、第５，０３７，４１６号、及び第５，２６９，７７５号に更に詳細に記載されている。
【００５５】
トップシート２４は、着用者の皮膚に対して従順で、軟らかな感触であり、及び非刺激性であってもよい。更にトップシート２４の少なくとも一部分は液体透過性であって、液体がその厚さを通って容易に浸透できてもよい。トップシート２４の少なくとも一部分は液体及び固体若しくは半固体に対して不浸透性であってもよいし、又は滲出物に対して着用者から離れる方向にのみ浸透性であってもよい。更に、トップシート２４は、異なる浸透性の領域を包含してもよい。トップシート２４は更に、米国特許第５，３４２，３３８号に更に詳細に記載されるように、多数の第２の孔を含んでもよい。
【００５６】
適したトップシート２４は、例えば、多孔質発泡体、網状発泡体、有孔プラスチックフィルム、又は天然繊維（例えば木材繊維若しくは綿繊維）、合成繊維（例えばポリエステル繊維若しくはポリプロピレン繊維）、又は天然繊維と合成繊維との組み合わせによる織布ウェブ又は不織布ウェブなどの、広範囲の材料から製造されてもよい。トップシートが繊維を包含する場合、繊維は、スパンボンド、カード、湿式、メルトブローン、水流交絡、ないしは当該技術分野で既知のような別の方法で加工されてもよい。短繊維長のポリプロピレン繊維のウェブを含む１つの適したトップシート２４は、テネシー州オールドヒッコリー（Old Hickory）のＢＢＡ不織布（BBA Nonwovens）により表記Ｐ−８として製造されている。
【００５７】
適した成形フィルムのトップシートは、米国特許第３，９２９，１３５号、第４，３２４，２４６号、第４，３４２，３１４号、第４，４６３，０４５号、及び第５，００６，３９４号に記載されている。その他の適したトップシートは、米国特許第４，６０９，５１８号及び第４，６２９，６４３号にしたがって製造されてもよい。こうした成形フィルムは、インディアナ州テレホート（Terre Haute）のトレデガー社（Tredegar Corporation）から「クリフ−Ｔ（CLIFF-T）」及び／又は「ドライ−ウィーブ（DRI-WEAVE）」として入手可能である。
【００５８】
トップシート２４の少なくとも一部分は疎水性材料から製造されてもよく、又は着用者の皮膚を、吸収性コア２８に収容されている液体から隔てるために、疎水性になるように処理される。トップシート２４が疎水性材料から製造される場合、液体がトップシートを通ってより迅速に移動するように、トップシート２４の上面の少なくとも一部分は親水性になるように処理されてもよい。トップシート２４は、それを界面活性剤で処理することにより、又はトップシート中に界面活性剤を組み込むことにより、親水性にすることができる。トップシート２４を界面活性剤で処理するための適した方法には、トップシート２４の材料に界面活性剤を噴霧する、並びに材料を界面活性剤中に浸漬することが挙げられる。こうした処理及び親水性についてのより詳細な議論は、米国特許第４，９８８，３４４号に収容されている。トップシート中に界面活性剤を組み込むための幾つかの適した方法についてのより詳細な議論は、アジズ（Aziz）らの名前により１９９７年７月１日に公開された米国法定発明登録番号Ｈ１６７０（U.S. Statutory Invention Registration No. H1670）に見出せる。あるいは、トップシート２４は、疎水性の有孔ウェブ又はフィルムを包含してもよい。これは、製造プロセスから親水性化処理工程の排除、及び／又はフルオリル（fluoryl）、パラフィン、又はコグニス社（Cognis Corporation）によるリペランＺＮ（Repellan ZN）のようなシリコーン系化合物、同時係属米国仮出願６０／５４３７８５（２００４年２月１１日出願）に記載されるような疎水性表面コーティング、又は疎水性ローション組成物などのトップシート２４への疎水性化処理剤の適用の排除を達成する場合がある。
【００５９】
トップシート２４のいずれかの部分を、当該技術分野で既知のようなローションでコーティングしてもよい。適したローションの例には、米国特許第５，６０７，７６０号、第５，６０９，５８７号：第５，６３５，１９１号（ロー（Roe）らに発行）、及び米国特許第５，６４３，５８８号（ロー（Roe）らに発行）に記載されるものが挙げられる。ローションは、単独で又は以上に記載された疎水性化処理剤のような別の剤との組み合わせにおいて機能してもよい。
【００６０】
吸収性コア２８は、一般に圧縮性で、適合性があり、着用者の皮膚に刺激がなく、並びに尿及び他の特定の身体滲出物などの液体を吸収及び保持できる、いずれかの吸収性材料を含んでもよい。吸収性コア２８は、多種多様な大きさと形状（例えば、長方形、砂時計形、「Ｔ」字形、非対称形状など）で製造されてもよく、並びに、一般にエアフェルトと呼ばれる粉砕木材パルプなどの、使い捨てのおむつ及び他の吸収性物品に通常使用される多種多様な液体吸収性材料を含んでもよい。その他の適した吸収性材料の例には、捲縮セルロース塊、コフォームを包含するメルトブローンポリマー、化学的に剛化、変性、又は架橋されたセルロース繊維、ティッシュラップとティッシュ積層体を包含するティッシュ、吸収性発泡体、吸収性スポンジ、超吸収性ポリマー、吸収性ゲル化材料、若しくは他のいずれかの既知の吸収性材料又は材料の組み合わせが挙げられる。
【００６１】
また吸収性コア２８の構成及び構造は変更されてもよい（例えば、吸収性コア（類）又は他の吸収性構造体（類）は、様々なキャリパーゾーン、親水性勾配、超吸収性勾配、又はより低い平均密度及びより低い平均坪量獲得ゾーンを有してもよく、又は１つ以上の層若しくは構造体を含んでもよい）。吸収性コアとして用いる代表的な吸収性構造体は、米国特許第４，６１０，６７８号（ワイズマン（Weisman）らに発行）、米国特許第４，６７３，４０２号（ワイズマン（Weisman）らに発行）、米国特許第４，８３４，７３５号（アレマニー（Alemany）らに発行）、米国特許第４，８８８，２３１号（アングスタッド（Angstadt）に発行）、米国特許第５，１３７，５３７号（ヘロン（Herron）に発行）、米国特許第５，１４７，３４５号（ヤング（Young）らに発行）、米国特許第５，３４２，３３８号（ロー（Roe）に発行）、米国特許第５，２６０，３４５号（デスマライス（DesMarais）に発行）、米国特許第５，３８７，２０７号（ダイアー（Dyer）らに発行）、及び米国特許第５，６２５，２２２号（デスマライス（DesMarais）らに発行）に記載されている。
【００６２】
おむつ２０はまた、改善された適合と収容を提供するために役立つ、少なくとも１つの弾性ウエスト機構３４を含んでもよい。弾性ウエスト機構３４は、一般に、伸縮自在に拡張及び収縮して、着用者のウエストに動的に適合することを意図する。弾性ウエスト機構３４は好ましくは、吸収性コア２８の少なくとも１つのウエスト縁部から少なくとも長手方向に外側に伸び、一般に、おむつ２０の末端縁部５２の少なくとも一部分を形成する。使い捨ておむつは、多くの場合２つの弾性ウエスト機構を有するように作成され、１つは前部ウエスト領域３６の中に位置付けられ、及び１つは後部ウエスト領域３８の中に位置付けられる。更に、弾性ウエスト機構３４又はその構成要素のいずれかは、おむつ２０に取り付けられた１つ以上の別個の要素を構成してもよいが、弾性ウエスト機構３４はおむつ２０のその他の要素、例えばバックシート２６、トップシート２４、又はバックシート２６及びトップシート２４の両方の延長として作成されてもよい。
【００６３】
弾性ウエスト機構３４は、多数の異なる構成において作成されてもよく、それらには、米国特許第４，５１５，５９５号（キービット（Kievit）らに発行）、米国特許第４，７１０，１８９号（ラッシュ（Lash）に発行）、米国特許第５，１５１，０９２号（ビューエル（Buell）に発行）、及び米国特許第５，２２１，２７４号（ビューエル（Buell）に発行）に記載されるものが挙げられる。その他の適したウエスト構造は、米国特許第５，０２６，３６４号（ロバートソン（Robertson）に発行）、及び米国特許第４，８１６，０２５号（フォーマ（Forema）に発行）に記載されるもののような、ウエストキャップ機構を包含してもよい。
【００６４】
おむつ２０はまたファスニングシステム４０を包含してもよい。ファスニングシステム４０は好ましくは、着用者の上におむつ２０を保持するためにおむつ２０の外周の周囲に横向きの張力を提供するような配置に、前部ウエスト領域３６及び後部ウエスト領域３８を維持する。ファスニングシステム４０は、好ましくは、テープタブ及び／又はフックアンドループのファスニング機構を含むが、いずれかのその他の既知のファスニング手段も一般に受け入れることができる。好ましくは、ファスニングシステム４０は、少なくとも１つの係合する接着剤及び／又はフック若しくはループを有するタブ４１、及びタブを受け入れるための少なくとも１つのランディングゾーン４２を包含してもよい。こうした実施形態では、タブ４１及びランディングゾーン４２は別個の要素であってもよい。幾つかの代表的なファスニングシステムは、米国特許第３，８４８，５９４号（ビューエル（Buell）に発行）、米国特許第Ｂ１４，６６２，８７５号（ヒロツ（Hirotsu）らに発行）、米国特許第４，８４６，８１５号（スクリップス（Scripps）に発行）、米国特許番号４，８９４，０６０号（ネステガード（Nestegard）に発行）、米国特許第４，９４６，５２７号（バットレル（Battrell）に発行）、及び米国特許第５，１５１，０９２号及び第５，２２１，２７４号に開示されている。別の代表的なファスニングシステムは、米国特許第６，４３２，０９８号（クライン（Kline）ら、２００２年８月１３日発行）に開示されている。ファスニングシステムはまた、米国特許第４，９６３，１４０号（ロバートソン（Robertson）らに発行）に開示されるように、物品を廃棄用の構成に保持するための手段を提供してもよい。ファスニングシステムはまた、米国特許第５，２４２，４３６号、第５，４９９，９７８号、第５，５０７，７３６号、及び第５，５９１，１５２号に開示されるように、重なり合った部分の移動を減らすために、又は適合を改善するために、米国特許第４，６９９，６２２号に開示されるように、第１及び第２のファスニングシステムを包含してもよい。別の実施形態では、衣類の相対する側面が、縫製される又は溶接されてパンツを形成してもよい。これにより、その物品は、プルオンおむつ又はトレーニングパンツとして使用できるようになる。
【００６５】
おむつ２０はまたサイドパネル３０を含んでもよい。サイドパネル３０は、弾性又は伸張性であり、より快適な及び体に合う適合を提供してもよい。おむつ２０は、前部ウエスト領域３６の中に又は前部ウエスト領域３６及び後部ウエスト領域３８の両方の中に配置されるサイドパネル３０を含んでもよい。サイドパネル３０は、いずれかの適した構成において作成されてもよい。伸縮性のあるサイドパネルを有するおむつの例は、米国特許第４，８５７，０６７号（ウッド（Wood）らに発行）、米国特許第４，３８１，７８１号（シャラッファ（Sciaraffa）らに発行）、米国特許第４，９３８，７５３号（ヴァン・ゴンペル（Van Gompel）らに発行）、米国特許第５，１５１，０９２号及び米国特許第５，２２１，２７４号、米国特許第５，６６９，８９７号（ラボン（LaVon）らに発行）、並びに米国特許第６，００４，３０６号（ロブレス（Robles）らに発行）に開示されている。おむつ２０は、前部ウエスト領域３６の中に位置付けられる少なくとも１つのサイドパネル３０、及び後部ウエスト領域３８の中に位置付けられる少なくとも１つのサイドパネル３０を含んでもよい。サイドパネルはまた、耳又は耳フラップと呼ばれてもよい。
【００６６】
おむつ２０は更に、液体及びその他の身体の滲出物の改善された収容を提供するレッグカフ３２を包含してもよい。レッグカフはまた、レッグバンド、サイドフラップ、障壁カフ、又は弾性カフと呼ばれる場合もある。米国特許第３，８６０，００３号には、伸縮性のあるレッグカフ（ガスケットカフ）を提供するためにサイドフラップ及び１つ以上の弾性部材を有する収縮性脚部開口部を提供する、使い捨ておむつが記載されている。米国特許第４，８０８，１７８号及び第４，９０９，８０３号（アジズ（Aziz）らに発行）は、脚領域の収容を改善する「立ち上がる」伸縮性のあるフラップ（障壁カフ）を有する使い捨ておむつを記載する。米国特許第４，６９５，２７８号及び第４，７９５，４５４号（それぞれ、ローソン（Lawson）及びドラグー（Dragoo）に発行）は、ガスケットカフ及び障壁カフを包含する２重カフを有する使い捨ておむつを記載している。幾つかの実施形態では、以上に記載されたように、レッグカフのすべて又は一部分をローションで処理することは望ましい場合がある。典型的なレッグカフ３２の設計は、少なくとも１つの基材の２つの表面の間に入れられた少なくとも１つの弾性ストランドを含む。
【００６７】
本発明の実施形態はまた、排泄物を受け取り及び収容するためのポケット、排泄物のための空間を提供するスペーサ、物品内での排泄物の移動を制限するための障壁、おむつ内に堆積された排泄物質を受容し及び収容する区画若しくは空間など、又はこれらのいずれかの組み合わせを包含してもよい。吸収性製品に用いるポケット及びスペーサーの例は、米国特許第５，５１４，１２１号（ロー（Roe）らに発行）、米国特許第５，１７１，２３６号（ドライア（Dreier）らに発行）、米国特許第５，３９７，３１８号（ドライア（Dreier）に発行）、米国特許第５，５４０，６７１号（ドライア（Dreier）に発行）、米国特許第６，１６８，５８４号（アレン（Allen）らに発行）、及び米国特許第５，３０６，２６６号（フリーランド（Freeland）に発行）に記載されている。区画又は空間の例は、米国特許第４，９６８，３１２号（カーン（Khan）に発行）、米国特許第４，９９０，１４７号（フリーランド（Freeland）、１９９１年２月５日発行）、米国特許第５，０６２，８４０号（ホールト（Holt）らに発行）、及び米国特許第５，２６９，７５５号（フリーランド（Freeland）らに発行）に開示されている。適した横断方向障壁の例は、米国特許第５，５５４，１４２号（ドライア（Dreier et al）らに発行）、米国特許第６，０１０，４９０号（フリーランド（Freeland）らに発行）、及び米国特許第５，６５３，７０３号（ロー（Roe）らに発行）に記載されている。その上、米国特許出願１０／７７４，７６８（アシュトン（Ashton）らの名前による、２００４年２月９日出願）に記載されるように取っ手がおむつの上に提供されてもよい。
【００６８】
別の実施形態では、１つ以上のおむつが、上包の中に部分的に又は完全に包まれてもよい。上包は、上包が開かれ及びおむつが取り出されるまで、おむつを、清潔な及び衛生的な状態で維持する。１を超えるおむつを上包の中に包むことは、空間を効率よく利用し及び輸送及び貯蔵を簡単にする一方で、多数のおむつを消費者に届けられるようにし、及び消費者が購入できるようにする。おむつを取り出すために、おむつに到達するために上包を破ることが必要な場合もある（例えば蓋を開ける、パネルの除去など）。１つの実施形態では、米国特許第５，９３４，４７０号（バウアー（Bauer）ら、１９９９年８月１０日発行）に開示されるように、熱可塑性フィルムの上包によって多数のおむつが統一体として共に束ねられ及び被覆されてもよい。熱可塑性フィルムの上包は、熱可塑性フィルムカバーの一部分を除去し及びプルオン型衣類に到達できるように、理想的には開口手段を含有する。典型的な開口手段には、実質的に連続的な弱い線、好ましくは、前記実施形態の熱可塑性フィルムの上包の中のミシン目が挙げられる。代表的な開口手段は、米国特許出願第５，０３６，９７８号（フランク（Frank）ら、１９９１年８月６日発行）に提示されている。
【００６９】
上包が以上に記載されたが、他の変形も明らかに想定される。上包は、熱可塑性フィルム、不織布、織布、ホイル、布地、紙、ボール紙、ゴムひも、コード、ストラップ、及びこれらの組み合わせが挙げられるが、これらに限定されない多様な材料を含んでもよい。包まれるおむつの数は可変である。上包は、複数個のおむつを完全に又は部分的に束ねる及び／又は被覆してもよい。その他の特に好ましい包装及び包装するための方法は、米国特許第５，０５０，７４２号（Ｄ．Ｒ．ミュッケンフース（Muckenfuhs）、１９９１年９月２４日発行）、及び米国特許第５，０５４，６１９号（Ｄ．Ｒ．ミュッケンフース（Muckenfuhs）、１９９１年１０月８日発行）に開示されている。その上、おむつは１を超える上包により包まれてもよい。例えば、本発明の複数個のおむつが熱可塑性フィルムの上包により包まれてもよく、次いでおむつを包んだ複数個のフィルム自体がダンボール箱又は第２の熱可塑性フィルムの上包の中に包まれてもよい。その上、上包は専用の開口手段を含有しなくてもよい。例えば、ミシン目のような専用の開口手段のない熱可塑性フィルムの上包は、フィルムを破くことにより単純に開けられてもよい。
【００７０】
上包は着色技術により提供される付与された色を含んでもよい。付与された色をおむつの要素に提供するために利用可能な着色技術は、上包に付与された色を提供するためにも同様に等しく受け入れられる。上包の付与された色は、それに関連して付与された色を含む１つ以上のおむつの要素と色が適合していてもよい。色の適合は、付与された色が、定められた色空間の体積内に入るときに、（ｉｉ）定められた色空間の色相差を有するときに、及び／又は（ｉｉｉ）定められた全色差を有するときに、実現されてもよい。定められた体積、色相差、及び全色差は上記されている。１つの実施形態では、上包の付与された色及び前記要素の付与された色は異なる着色技術により提供される。別の実施形態では、上包の付与された色は、各々が付与された色を含む２つ以上のおむつの要素と色が適合していてもよい。１つの実施形態では、上包の付与された色及び前記要素類の付与された色類は、各々が異なる着色技術により提供される。
【００７１】
試験方法
目に見える表面が、乾いた状態で、及びおよそ５０％±２％の周囲湿度で試験される。反射色が、バージニア州レストン（Reston）のハンター・アソシエーツ・ラボラトリー（Hunter Associates Laboratory）から得られる、ハンター・ラブ・ラブスキャンＸＥ（Hunter Lab LabScan XE）反射分光光度計を用いて測定される。分光光度計は、ＣＩＥＬａｂカラースケールにＤ５０照明を用いて設定される。観察者は１０°のところに設定され、及びモードは４５／０°に設定される。フィルムについては、エリアビュー（Area View）は０．３１７５ｃｍ（０．１２５インチ）に設定され、及びポートサイズ（Port Size）は０．５０８ｃｍ（０．２０インチ）に設定され、不織布及びその他の材料については、エリアビュー（Area View）は２．５４ｃｍ（１．００インチ）に設定され、及びポートサイズ（Port Size）は３．０４８ｃｍ（１．２０インチ）に設定される。分光光度計は、製造供給元から機器と共に供給される、黒及び白の参照タイルを使用して試料の分析の前に較正される。較正は、ラブスキャンＸＥユーザーズマニュアル（LabScan XE User’s Manual）、マニュアル・バージョン１．１（Manual Version 1.1）、２００１年８月、Ａ６０−１０１０−８６２に説明されるような製造業者の指示にしたがって行われる。参照タイル又は試料の洗浄が必要である場合、エンボス加工、ローション、又は光沢剤を含有しないティッシュ（例えばパフス（Puffs）（登録商標）ティッシュ）のみが用いられるべきである。分析される付与された色を含有する要素の、目に見える表面上のいずれかの試料点が選択されるべきである。理想的には、試料点は、知覚された色の近くであるように選択される。要素の単プライが、分光光度計の試料ポートの上に設置される。試験方法において用いられるとき、単プライとは、要素の目に見える表面が折り畳まれていないことを意味する。したがって、目に見える表面の単プライは、１を超える薄層をそれ自体が含む積層体の試料標本を包含してもよい。分析される色を含む試料点は、正確な測定を確実にするために試料ポートより大きくなければならない。製造業者により供給されるような白色タイルが、目に見える表面の背後に設置される。Ｌ＊、ａ＊、及びｂ＊値が読み取られ及び記録される。目に見える表面について、最低限６つの読みが得られるように、目に見える表面が取り外され及び再配置される。可能であれば（例えば、問題になっている要素上の付与された色の大きさによって、６つの個々に異なる重ならない試料点を持つという能力が制限されない場合）、各々の読み取りは、２つの試料点が重ならないように、目に見える表面上の実質的に異なる領域において実行される。付与された色の領域の大きさにより、試料点が重なることが必要となる場合には、いずれの２つの試料点の間の重なりも最小限にするように試料点が選択されて、６つだけの試料が採取されるべきである。読みは平均されて、要素の目に見える表面上の指定された色についてのＬ＊、ａ＊、及びｂ＊の報告値を生成する。
【００７２】
色空間の体積Ｖ、最大及び最小のＬ＊、ａ＊、及びｂ＊の値が、色が適合される要素の特定の組について決定される。最大及び最小のＬ＊、ａ＊、及びｂ＊の値が用いられて、以上に示された式にしたがってＶを計算する。
【実施例】
【００７３】
パンパース（PAMPERS）（登録商標）クルーザーズ（Cruisers）サイズ４おむつと同じ一般構造を有する使い捨ておむつが試験される。適したおむつの構造は、米国特許第３８６０００３号、第４６３６２０７号、第４６９５２７８号、第４７０４１１５号、第４７９５４５４号、第４９００３１７号、第４９０９８０３号（ＵＳＲＥ３４９２０として再発行された）、第５０８５６５４号、第５４９２７５１号、第６４７６２８８号、及びＳＩＲ  Ｈ１６３０に詳細に記載されている。実施例１のおむつは、バックシート、前部耳、ファスニングテープタブ、及びランディングゾーンを除いて市販されているものと実質的に同じである。バックシートは、接着剤で結合されたポリマーフィルムと不織布バックシートの積層体である。適したフィルムは、ポリプロピレンフィルムであり、オハイオ州メーソン（Mason）のクロペイ・プラスチック・プロダクツ社（Clopay Plastic Products Co.）から、製品コードＡＰＡ１２１Ｐとして入手可能である。このフィルムは、フレキソ印刷により印刷される。フィルムは更に不織布ウェブを接着することにより加工される。適した不織布ウェブは、テネシー州オールドヒッコリー（Old Hickory）のＢＢＡ不織布（BBA Nonwovens）から供給元コードＦＰＮ３７２Ｄとして入手可能なカードした不織布である。フィルム及びウェブは、ミネソタ州セントポール（St. Paul）のＨ．Ｂ．フラー社（H.B. Fuller Company）から入手可能なフラー１３５８Ｘ（Fuller 1358X）のような接着剤の使用により共に付着される。付着手段は好ましくは、米国特許第４，５７３，９８６号（ミネトラ（Minetola）らに発行）に開示されるように、接着剤の糸状の開放型模様の網状組織を含む。前部耳は、ドイツのＲＫＷ社ライン川プラスチック工場（RKW AG Rheinische Kunststoffwerke）から供給元コードＵＳＢ２１７として入手可能な不織布複合体である。不織布は色の含浸（impregation）により着色される。ファスニングテープは、ミネソタ州ミネアポリス（Minneapolis）の３Ｍから供給元コードＥＦＴ２０７０として入手可能な不織布／ポリマーフィルム積層体である。ファスニングテープは、着色されたポリマーフィルムがその中に押出される不織布である。ポリマーフィルムは含浸により着色される。ランディングゾーンは、ミネソタ州ミネアポリス（Minneapolis）の３Ｍから供給元コードＥＢＬとして入手可能な印刷フィルム／不織布積層体である。フィルムはグラビア印刷により着色される。
【００７４】
実施例のバックシート、前部耳、ファスニングテープタブ、及びランディングゾーンが、以上に記載された試験方法にしたがって試験される。試験される４つの点（バックシート、ランディングゾーン、前部耳、及びテープタブ）は、以上に記載される計算にしたがって９７の色空間の体積の中に入る。
【００７５】
表１は、３つの要素（前部耳、バックシート、テープタブ）が、７．９の最大のΔＥ＊を有することを提供する。ΔＥ＊の計算は、以上に記載されるように、要素対要素に基づいて実行される。３つの要素に対して、３つの比較：バックシート−前部耳、バックシート−テープタブ、及び前部耳−テープタブが実行されてもよい。３つの比較についてのΔＥ＊の値は、それぞれ４．０、７．９、及び４．６である。これらの値を考慮すると、３つの要素は、比較のすべてが約１０未満の全色差を結果として生じるという点で、色が適合している。
【表１】
2008507385.tif 000007
【００７６】
表２は、３つの要素（バックシート、ランディングゾーン、及び前部耳）が、０．９の最大のΔＨ＊を有することを提供する。ΔＨ＊の計算は、以上に記載されるように、要素対要素に基づいて実行される。３つの要素に対して、３つの比較：バックシート−ランディングゾーン、バックシート−前部耳、及びランディングゾーン−前部耳が実行されてもよい。３つの比較についてのΔＨ＊の値は、それぞれ０．６、０．９、及び０．０である。これらの値を考慮すると、３つの要素は、比較のすべてが４未満の色相差を結果として生じるという点で、色が適合している。
【表２】
2008507385.tif 000008
【００７７】
本発明の特定の実施形態について説明し記載したが、本発明の精神及び範囲から逸脱することなく他の様々な変更及び修正が可能であることが当業者には自明である。したがって、本発明の範囲内にあるそのようなすべての変更及び修正を、添付の特許請求の範囲で扱うものとする。
【００７８】
「発明を実施するための最良の形態」で引用したすべての文献は、その関連部分において本明細書に参考として組み込まれるが、いかなる文献の引用も、それが本発明に対する従来技術であることを認めるものと解釈すべきではない。
【図面の簡単な説明】
【００７９】
【図１】下層構造を明らかにするため切欠部分を有する本発明の使い捨ておむつの実施形態の平面図。
【図２】国際照明委員会（Commission Internationale de l’Eclairage）Ｌ＊ａ＊ｂ＊色空間の図。
【図１】
2008507385.tif 000009
【図２】
2008507385.tif 000010